(57)【要約】【課題】操作ハンドルの先端部の筐体外への突出と、ボール弁の誤操作を防止する。【解決手段】ガス流路を開く開位置とガス流路を閉じる閉位置との間で回転可能なボール弁体７を備えたガス遮断弁装置１において、ボール弁体７からガス流路方向と直交する方向に水平に向けて延出形成された軸部材１０と、軸部材１０に取り付けられ、ボール弁体７を回転させてガス流路の開閉操作を行う操作ハンドル３と、開表示部１２ｄと、閉表示部１２ｅとを有し、操作ハンドル３がボール弁体７を開く位置にある時には開表示部１２ｄが表出し、操作ハンドル３がボール弁体７を閉じる位置にある時には操作ハンドル３から閉表示部１２ｅが表出するように、操作ハンドル３に回動自在に取り付けられた開閉表示部材１２とを備えた。【選択図】  図２
2011202765.tif 000002
【特許請求の範囲】
【請求項１】
ガス流路を開く開位置とガス流路を閉じる閉位置との間で回転可能なボール弁体と、
前記ボール弁体の回転軸に取り付けられ、ボール弁体を回転させてガス流路の開閉操作を行う操作ハンドルと、を備えたガス遮断弁装置において、
操作ハンドルは、ガス流路に平行で鉛直な面上を回動するように前記回転軸に取り付けられ、
開表示部と、閉表示部とを有し、操作ハンドルが前記ボール弁体を開く位置にある時には開表示部が表出し、操作ハンドルがボール弁体を閉じる位置にある時には操作ハンドルから閉表示部が表出するように、操作ハンドルに回動自在に取り付けられた開閉表示部材とを備えたことを特徴とするガス遮断弁装置。
【請求項２】
開閉表示部材は、操作ハンドルへの取付部よりも重心が鉛直方向下側に位置し、開表示部又は閉表示部のいずれか一方が常時下方に位置するように構成されている請求項１記載のガス遮断弁装置。
【発明の詳細な説明】
【技術分野】
【０００１】
本発明は、ガス配管等の途中に設けられ、緊急時にガスの供給を遮断することが可能なガス遮断弁装置に関する。
【背景技術】
【０００２】
従来から、工場や学校の実験室、病院等の医療施設などにおいては、ガスを移送するためのガス配管が広く用いられている。例えば、病院等の医療施設では、酸素ガス等のような各種の医療ガスを供給装置から各病棟の病室や手術室等の各部屋へ移送するためのガス配管が配設されており、このようなガス配管には、ガスの供給を遮断又は開放するためのガス遮断弁装置が設けられている。特に、医療施設で使用される医療用配管設備に関しては、建屋の各階に区域別遮断弁を設けることがＪＩＳ  Ｔ  ７１０１で決められている。区域別遮断弁は、建屋の各階にガスを供給するメイン配管から分岐して、手術室や一般病室等にガスを供給するガス配管の途中に設けられ、保守時や緊急時に医療施設内の区域を分離することを目的として使用される。このような区域別遮断弁に用いられるガス遮断弁装置には、ガス配管内に形成されたガス流路の開閉操作を迅速かつ簡単に行うことができる弁部材を用いることが好ましい。
【０００３】
区域別遮断弁に用いられるガス遮断弁装置において、ガス流路の開閉操作を行う弁部材には、ボール弁が従来から広く用いられている。ボール弁を用いたガス遮断弁装置は、一般的には図７に示すように構成されている。図７は、従来例として用いられるガス遮断弁装置の概略構成を表した断面図である。ガス遮断弁装置１０１は、前面に蓋体１０２が取り付けられた筐体１０３の中にボール弁１０４が取付固定されて構成されている。ボール弁１０４は、ガス流路が内部に形成された環状のボディ１０５内に球状のボール弁体１０６が配置されている。ボール弁体１０６は、ステンレス等の金属で形成された球体１０６ａに内部を貫通する流路孔１０６ｂが形成されている。このボール弁体１０６は、ボディ１０５の内部において、流路孔１０６ｂの位置が流路の位置と一致してガスの流れを許容する開位置と、流路孔１０６ｂの位置と流路の位置とが一致せず、ガスの流れを遮断する閉位置との間で回転できるように配置されている。また、ボール弁体１０６には、該ボール弁体１０６に対して鉛直方向上側に向けて延出形成された軸部材１０７を有しており、この軸部材１０７に操作ハンドル１０８が取り付けられている（例えば、非特許文献１）。
【０００４】
通常のボール弁１０４は、操作ハンドル１０８がボディ１０５内に形成されたガス流路の方向と同一の方向を向いている場合にボール弁体１０６が開位置に位置するようにし、軸部材１０７を中心に操作ハンドル１０８を９０度回動させて、操作ハンドル１０８がガス流路の方向と直交させると、操作ハンドル１０８の回動操作に伴ってボール弁体１０６も開位置から９０度回転して閉位置に位置するように構成されている。なお、ボール弁１０４には、操作ハンドル１０８により手動でボール弁体１０６の開閉操作を行うもののほかに、圧空式のアクチュエータ等を用いてボール弁体１０６の開閉操作を行うものもある。
【先行技術文献】
【非特許文献】
【０００５】
【非特許文献１】株式会社キッツ  ボールバルブ総合カタログ[online]、[平成２１年４月１５日検索]、インターネット＜ＵＲＬ  http://www.kitz.co.jp/product/pdf/prant/J-201-42.pdf＞
【発明の概要】
【発明が解決しようとする課題】
【０００６】
しかしながら、従来のガス遮断装置１０１は、ボール弁１０４の軸部材１０７が鉛直方向上側へ延出するように設けられていた。そのため、操作ハンドル１０８は、軸部材１０７を中心として水平方向に回動し、ボール弁体１０６を開位置から閉位置まで９０度回転させると、操作ハンドル１０８の一部が筐体１０２の外へ突出するという事態を招いていた。そのため、従来のガス遮断装置１０１は、患者や看護師など、ガス遮断弁装置１０２が設置された通路を頻繁に行き来する人が操作ハンドルにぶつかったり、引っかかったりすることにより怪我を誘発する恐れがあった。また、操作ハンドルにぶつかる等して操作ハンドル１０８が回動されてしまうとボール弁体１０６も回転してしまうため、ガスの供給を遮断している場所へ誤ってガスが供給されてしまうこと等も誘発するおそれもあった。
【０００７】
このような問題は、ボール弁体１０６が閉位置に位置する場合も操作ハンドル１０８の一部が筐体１０３の外へ突出しないように、大型化した筐体１０３を壁Ｗに取付固定することや、壁Ｗを厚くして筐体１０３の埋め込み深さを確保することで、蓋体１０２を閉められるようにすることが考えられる。しかし、大型化した筐体１０３を壁Ｗに取付固定した場合には、筐体１０３がさらに通路側へ突出して配置されるため、患者や看護師等がさらにぶつかりやすくなるという問題がある。また、壁Ｗを厚くして筐体１０３の埋め込み深さを確保する場合には、筐体１０３が突出する問題は解消されるものの、この場合には必要以上に壁を厚く設計する必要が生じ、そのために通路が全体的に狭くなる恐れがあり、緊急時などに適切な方法で患者等を誘導することが困難になる等の問題が生じる。また、施設によっては壁を厚くすることができない場合もあるため、壁を厚くすることも適切な解決策にはなり得ない。また、ボール弁１０４を区域別遮断弁として用いた場合、ボール弁体１０６を閉位置にするのは、緊急時等のような一時的な場合が多く、一時的な処置のために筐体１０３の大型化や壁Ｗの厚さを増加させるのは、不経済である。
【０００８】
また、従来のガス遮断弁装置１０１は、ボール弁１０４の構造を知っていないとボール弁体１０６が開位置又は閉位置のどちらに位置しているかの識別が困難であり、操作ハンドル１０８の方向とボール弁体１０６の開閉状態の関係が必ずしも明確でなく、ボール弁体１０６の開閉操作時に誤操作を招く危険があった。
【０００９】
本発明は、上述した問題を解決するためになされたもので、操作ハンドルが筐体から突出することがなく、かつボール弁体の開閉状態を容易に識別することが可能なガス遮断弁装置を提供することを目的とする。
【課題を解決するための手段】
【００１０】
本発明は、
（１）ガス流路を開く開位置とガス流路を閉じる閉位置との間で回転可能なボール弁体と、前記ボール弁体の回転軸に取り付けられ、ボール弁体を回転させてガス流路の開閉操作を行う操作ハンドルと、を備えたガス遮断弁装置において、操作ハンドルは、ガス流路に平行で鉛直な面上を回動するように前記回転軸に取り付けられ、開表示部と、閉表示部とを有し、前記操作ハンドルがボール弁体を開く位置にある時には開表示部が表出し、操作ハンドルがボール弁体を閉じる位置にある時には操作ハンドルから閉表示部が表出するように、操作ハンドルに回動自在に取り付けられた開閉表示部材とを備えたことを特徴とするガス遮断弁装置、
（２）開閉表示部材は、操作ハンドルへの取付部よりも重心が鉛直方向下側に位置し、開表示部又は閉表示部のいずれか一方が常時下方を向くように構成されている上記（１）記載のガス遮断弁装置、
を要旨とする。
【発明の効果】
【００１１】
本発明によれば、操作ハンドルがガス流路に平行で鉛直な面上を回動するようにボール弁体の回転軸に取り付けられているので、操作ハンドルを操作してボール弁体を回転させても、操作ハンドルが筐体から突出しないようにすることができる。したがって、患者や看護師等が操作ハンドルにぶつかったり引っかかる等による怪我の誘発やガスの誤った供給を効果的に防止することが可能になる。
【００１２】
また、本発明によれば、開表示部と、閉表示部とを有し、前記操作ハンドルがボール弁体を開く位置にある時には開表示部が表出し、操作ハンドルがボール弁体を閉じる位置にある時には操作ハンドルから閉表示部が表出するように、操作ハンドルに回動自在に取り付けられた開閉表示部材とを備えたので、開表示部と閉表示部のどちらが操作ハンドルから表出しているかによって、ボール弁体が開いた位置と閉じた位置のどちらなのかを一見して識別することができる。そのため、本発明は、操作者が容易にボール弁体の開閉状態の確認を行うことが可能になるとともに、操作ハンドルの開閉操作を迅速かつ確実に行うことが可能になるとともに、誤操作を効果的に防止することが可能になる。
【図面の簡単な説明】
【００１３】
【図１】本発明の実施の形態に係るガス遮断弁装置の外観構成を表した正面図である。
【図２】蓋体を外した状態のガス遮断弁装置であって、ボール弁体が開く位置に操作ハンドルが位置する状態を表した正面図である。
【図３】図２におけるＡ−Ａ断面図である。
【図４】（ａ）は、操作ハンドルと開閉表示部材との取付構成を表側から表した部分分解斜視図である。（ｂ）は、操作ハンドルと開閉表示部材との取付構成を裏側から表した部分分解斜視図である。
【図５】蓋体を外した状態のガス遮断弁装置であって、ボール弁体が開く位置とボール弁体が閉じる位置との間に操作ハンドルが位置する状態を表した正面図である。
【図６】蓋体を外した状態のガス遮断弁装置であって、ボール弁体を閉じる位置に操作ハンドルが位置する状態を表した正面図である。
【図７】従来のガス遮断弁装置の概略構成を表した断面図である。
【発明を実施するための形態】
【００１４】
本発明の実施の形態であるガス遮断弁装置について、図１〜図６に基づいて説明する。なお、本明細書においては、病院などの医療施設において利用されるガス遮断弁装置を一例として挙げて説明するが、本発明のガス遮断弁装置はこれに限定されず、例えば、大学等の教育機関や工場等のガス供給設備に適用してもよい。また、本明細書においては、ガス遮断弁装置を壁に埋め込んで使用するものを用いて説明するが、ガス遮断弁装置を壁に取付固定したものに適用してもよい。
【００１５】
図１〜図２に示すように、本実施の形態のガス遮断弁装置１は、ボール弁２、操作ハンドル３、これらを収納する筐体４及び該筐体４の前面側に着脱自在に取付けられる蓋体５を備えている。ボール弁２は、ボディ６とボール弁体７（図３参照）とを備えている。ボディ６は、銅等の金属で形成された管状の部材であり、内部にはガス流路が形成されている。このボディ６は、ガス流路の一部を形成するガス配管８、９に設けられたナット等の接続金具８ａ、９ａで両端が接続されている。なお、本実施の形態では、ガスがボール弁２に対して配管８側から流入し、配管９側へ流出するように構成されている例について説明するが、配管９から配管８へガスが流れるようにしてもよい。以下においては、ボール弁２にガスが流入する側のことを「上流側」といい、ボール弁２からガスが流出する側のことを「下流側」という。
【００１６】
ボール弁体７は、ステンレス等の金属で球状に形成された部材であり、図３に示すように直線状の流路孔７ａが内部に貫通形成されている。このボール弁体７は、ボディ６の内部において、流路孔７ａの位置がガス配管８，９内に形成されたガス流路の位置と一致して上流側から流入したガスの下流側への流出を許容する開位置と、流路孔７ａの位置と配管８，９内のガス流路の位置とが一致せず、上流側から流入するガスの下流側への流出を遮断する閉位置との間で回転可能に収納配置されている。なお、流路孔７ａは、ボール弁体７が開位置に位置する時はガス配管８，９とともにガス流路を構成するようになっており、この時のガス流路には、上流側から下流側に向けて酸素ガス等のような医療ガスが流れるようになる。
【００１７】
また、ボール弁体７には、ボール弁体７からガス流路の方向と直交する方向に回転軸としての軸部材１０が延出形成されており、ボディ６の内部において軸部材１０を回転軸として９０度の範囲内で回転することができるように配置されている。この軸部材１０は、筐体４の開口面に対して垂直、言い換えれば水平線と平行になるような軸Ｌ１を回転軸として回転するように配置されている。この軸部材１０の先端には操作ハンドル３が取り付けられるようになっており、取り付けられた操作ハンドル３の回動に伴って軸Ｌ１を中心として回転し、ボール弁体７を回転させるようになっている。
【００１８】
操作ハンドル３は、ガス流路に平行で鉛直な面上を回動するように軸部材１０に回動自在に取り付けられ、ボール弁体７を回転させることによってガス流路の開閉操作を行うためのものである。操作ハンドル３は、本実施の形態では平板棒状の金属部材により形成されているが、操作ハンドルの材質や形状はこれに限定されるものではない。この操作ハンドル３は、ネジ止め等の各種方法によって、一端が軸部材の先端に取付けられている。また、この操作ハンドル３は、軸部材１０を介してボール弁体７と連動するようになっており、操作ハンドル３を回動させると、それに伴ってボール弁体７も軸部材１０を介して回転動作を行うようになっている。
【００１９】
なお、以下においては、ボール弁体７が開位置にある時における操作ハンドル３の位置を「ボール弁体を開く位置」といい、ボール弁体７が閉位置にある時における操作ハンドル３の位置を「ボール弁体を閉じる位置」という。また、本実施の形態では、「ボール弁体を開く位置」とは、ガス遮断弁装置を正面から見た場合に、操作ハンドル３の他端側の先端が水平方向下流側を向く位置（図３に示す。）をいい、「ボール弁体を閉じる位置」とは、ガス遮断弁装置１を正面から見た場合に、操作ハンドル３の他端側の先端が鉛直方向下方を向く位置（図６に示す。）をいう。なお、操作ハンドルの向きはボール弁体７の開閉に対応して定められていればよく、ボール弁体の開閉状態と操作ハンドルの向きが上記した関係になくてもよい。
【００２０】
操作ハンドル３には、軸部材１０の軸中心から距離Ｌだけ離れた位置に貫通孔３ａが形成されている。この貫通孔３ａは、操作ハンドル３の裏側に開閉表示部材１２を取り付けるための孔で、ネジ１３が挿通可能な大きさに形成されている。
開閉表示部材１２は、ボール弁体７が開位置と閉位置のどちらに位置しているかを表示するための部材であり、図４（ａ）に示すように、操作ハンドル３に回動自在に取り付けるための取付孔１２ａが形成されている。この開閉表示部材１２は、本実施の形態においては「く」の字状に形成されており、取付孔１２ａを中心に時計３時の方向（以下、水平方向という。）に延出する延出部１２ｂと、取付孔１２ａを中心に時計６時の方向（以下、鉛直方向という。）とに延出する延出部１２ｃを有している。延出部１２ｂ，１２ｃは、延出部１２ｂと延出部１２ｃとの間のなす角が９０度となるように形成されており、取付孔１２ａは、開閉表示部材１２が水平方向から鉛直方向へ屈曲する位置に形成されている。また、開閉表示部材１２は、延出部１２ｃの先端部に、ボール弁体７が開位置にあることを示す「開」の文字が書かれた開表示部１２ｄを有し、延出部１２ｂの先端部に、ボール弁体７が閉位置にあることを示す「閉」の文字が書かれた閉表示部１２ｅを有している。これら開表示部１２ｄと閉表示部１２ｅは、開表示部１２ｄが取付孔１２ａに対して鉛直方向下側に位置し、閉表示部１２ｅが取付孔１２ａに対して水平方向に位置するようになっている。また、開閉表示部材１２には、図４（ｂ）に示すように、裏面側に錘１５が取り付けられており、取付孔１２ａよりも重心が鉛直方向下側に位置するようになっている。
【００２１】
このように構成された開閉表示部材１２は、操作ハンドル３の貫通孔３ａと開閉表示部材１２の取付孔１２ａとに、操作ハンドル３の表面側からネジ１３を挿通し、このネジ１３にナット１４を嵌合させて、操作ハンドル３の裏側に回動自在に取り付けられている。このとき、開閉表示部材１２は、錘１５の作用によって、取付孔１２ａよりも重心が鉛直方向下側に位置するので、開表示部１２ｄが常時下方に位置し、ボール弁体７が開く位置に操作ハンドル３がある時には、閉表示部１２ｅが操作ハンドル３によって隠されて開表示部１２ｄが表出するようになっている。また、ボール弁体７を閉じる位置に操作ハンドル３がある時には、開表示部１２ｄが操作ハンドル３によって隠されて閉表示部１２ｅが表出するようになっている。
【００２２】
なお、操作ハンドル３に対する開閉表示部材１２の取付方法はネジ止め以外の方法でもよく、例えばピンやリベット等で固定してもよい。また、これ以外の方法でもよい。
【００２３】
筐体４は、ボール弁２や操作ハンドル３を収納するための箱状の部材である。この筐体４は、前面側が開口するように形成されており、この開口を覆うように蓋体５が着脱自在に取り付けられている。蓋体５は、筐体４の前面側を覆うように取り付けられている。この蓋体５は、側断面形状が緩やかに湾曲するように形成されており、正面には第１窓部１６と第２窓部１７とが形成されている。第１窓部１６は、ボール弁体７が開く位置に操作ハンドル３がある時に、開閉表示部材１２の開表示部１２ｄを外部から視認可能にするためのもので、外部から開表示部１２ｄが明確に視認できるような大きさに形成されている。また、第２窓部１７は、ボール弁体７が閉じる位置に操作ハンドル３がある時に、開閉表示部材１２の閉表示部１２ｅを外部から視認できるようにするためのもので、外部から閉表示部１２ｅが明確に視認できるような大きさに形成されている。
【００２４】
これら第１窓部１６及び第２窓部１７は、開表示部１２ｄ又は閉表示部１２ｅが視認できる大きさであればよく、窓の大きさは同一であっても、異なっていてもよい。また、第１窓部１６及び第２窓部１７には、ガラス等の透明な板状部材を取り付けてもよいし、開口であってもよい。また、本実施の形態では、第１窓部１６からは開表示部１２ｄが視認でき、第２窓部１７からは閉表示部１２ｅが視認できるようになっている。
【００２５】
筐体４には、上面の２ヶ所にガス配管が挿通可能大きさの孔（図示せず）が設けられており、ガス配管８，９は、これらの孔を通じて筐体４の内部に案内されるようになっている。このような筐体４には、例えばアルミニウム等の金属が用いられるが、それ以外の金属を用いてもよい。また、金属以外であってもよく、例えば樹脂材などを用いてもよい。なお、図１及び図２に示した符号１１は、ガス流路内のガス圧を表示する圧力計である。
【００２６】
図３に示すように、筐体４は、壁Ｗ内に埋め込まれ、蓋体５が壁Ｗから露出するようにして配置されている。この蓋体５は、前記したように筐体４に対して着脱自在に取付けられている。また、筐体４の内部に収納されたボール弁２は、軸部材１０が水平面と平行になるように、又は筐体４の開口面に対して垂直な軸Ｌ１を有するように、台座を介して配置される。すなわち、操作ハンドル３は、ガス遮断弁装置１を正面から見た場合において、ボール弁体７が開位置に位置する場合には水平方向へ向くように位置し、ボール弁体７が閉位置に位置する場合は鉛直方向下側を向くように位置する。また、本実施の形態のガス遮断弁装置１は、ボール弁体７が閉位置に位置する場合も、操作ハンドル３が筐体４を筐体４から突出させないようにすることができ、ボール弁体２が閉位置に位置する場合にも、蓋体５を簡単に閉めることができるようになっている。
【００２７】
次に、本実施の形態のガス遮断弁装置の作用について説明する。病院等の医療施設に配置された区域別遮断弁としてのガス遮断弁装置１は、通常は、図１に示すようにボール弁体７が開位置に位置し、ガス流路をガスが流れるようになっている。また、操作ハンドル３は、ボール弁体７が開く位置に位置している。
【００２８】
このとき、操作ハンドル３に取り付けられ、開表示部１２ｄ側に錘１５を取り付けた開閉表示部材１２は、取付孔１２ａで回動自在にネジ止め固定されている。そのため、開閉表示部材１２は、取付孔１２ａよりも重心が鉛直方向下側に位置し、開表示部１２ｄが常時下方に位置し、閉表示部１２ｅは操作ハンドル３の裏側に隠れ、開表示部１２ｄは操作ハンドル３から表出する。したがって、通常は、第１窓部１６を介して開表示部１２ｄに付された「開」の文字を視認することができ、第２窓部１７には「閉」の文字が表示されないので、ボール弁体７が開く位置に操作ハンドル３があること、さらにボール弁体７が開位置にあることを容易に識別することができる。
【００２９】
次いで、操作ハンドル３をボール弁体７が開く位置からボール弁体７を閉じる位置まで回動させる場合について説明する。図５は、操作ハンドル３をボール弁体７が開く位置からボール弁体７を閉じる位置まで回動させてボール弁体７を開位置から閉位置まで回転させる途中の状態を表した正面図、図６は、ボール弁体７が閉じる位置に操作ハンドル３を位置させた時の操作ハンドル３と開閉表示部材１２との関係を表した正面図である。
【００３０】
図５に示す場合には、筐体４から蓋体５を取り外して、操作ハンドル３をボール弁体７が開く位置からボール弁体７が閉じる位置に向けて回動させる。このとき、操作ハンドル３は、軸部材１０の軸Ｌ１を中心に回動するので、ボール弁体７は開位置から閉位置まで回転し、操作ハンドル３の一部が筐体４から突出せず、蓋体５を筐体４に取り付けることができる。
【００３１】
また、図５に示すように、ガス遮断弁装置１を正面から見た場合において、操作ハンドル３が斜め下４５度に回動されたときの開表示部１２ｄ、閉表示部１２ｅは、ともに操作ハンドル３によってはほとんど隠されずに、開表示部１２ｄと閉表示部１２ｅとが、共に部分的に視認できるような状態になる。なお、この状態で蓋体５を閉めると、開表示部１２ｄ及び閉表示部１２ｅは、ともに第１窓部１６及び第２窓部１７を介して視認することが出来ない位置に位置することになる。
【００３２】
図６に示すように、操作ハンドル３をボール弁体７が閉じる位置まで回動させると、操作ハンドル３は、軸部材１０に対して鉛直方向下側を向くように位置する。この場合には、開表示部１２ｄは操作ハンドル３の裏側に隠れ、閉表示部１２が操作ハンドル３から表出する。したがって、操作ハンドル３をボール弁体７が閉じる位置まで回動させた時は、筐体４に蓋体５を取り付けると、第２窓部１７を介して閉表示部１２ｅに付された「閉」の文字を視認することができ、第１窓部１６には「開」の文字が表示されないので、ボール弁体７が閉じる位置に操作ハンドル３があること、ボール弁体７が閉位置にあることを容易に識別することができる。
【００３３】
以上より、本発明によれば、操作ハンドル３を操作しても、この操作ハンドル３が筐体４から突出することがないので、操作ハンドル３をボール弁体７が閉じる位置まで回動操作した後に蓋体５を確実に閉じることができる。したがって、操作ハンドル３がボール弁体７が閉じる位置にある場合も、看護師や患者が操作ハンドル３に引っかかる等して、怪我を誘発することを未然に防止することが可能になる。
【００３４】
また、本実施の形態のガス遮断弁装置１においては、操作ハンドル３に開閉表示部１２を回動自在に設けたので、操作者は、第１窓部１６又は第２窓部１７を介して、或いは直接に、操作ハンドル３から表出している「開」又は「閉」の文字を視認することで、ボール弁体７が開位置又は閉位置のどちらにあるかを明確に知ることが可能になる。
【００３５】
なお、本実施の形態における開表示部１２ｄ及び閉表示部１２ｅにおける表示の仕方は、ボール弁体７が開位置又は閉位置のどちらに位置しているかを識別できるものであればよく、「開」又は「閉」以外の文字を用いてもよいし、文字以外の記号等を用いてもよい。また、これら開位置又は閉位置を識別するための文字の形や色なども適宜用いることができる。例えば、「開」の文字は緑色にして、「閉」の文字は赤色にする等のように、操作者が一見してボール弁体の開閉状態を識別することができるものであればよい。
【００３６】
また、本実施の形態におけるガス遮断弁装置は、蓋体を筐体から取り外し可能な構成にしているが、例えば蝶番等によって、筐体に対して蓋体の開閉ができるような状態で、蓋体を筐体に取り付けてもよい。また、本実施の形態のガス遮断弁装置は、筐体と蓋体とから構成しているが、筐体は必ずしも必要ではなく、例えば壁面に凹部を設けてボール弁等を配置し、その奥部を覆うように、壁面に直接蓋体を取付けてもよい。
【００３７】
また、本実施の形態におけるガス遮断弁装置は、開閉表示部材において取付孔に対する重心の位置を下げるように錘を取り付けるように構成しているが、重心の位置を下げるための構成は錘を取り付ける以外の方法でもよい。例えば、開閉表示部材において、開表示部の部分の肉厚を厚肉化させることで重心を下げてもよいし、開表示部を大型化することによって重心を下げてもよい。また、これ以外の方法であってもよい。
【符号の説明】
【００３８】
１  ガス遮断弁装置
２  ボール弁
３  操作ハンドル
４  筐体
５  蓋体
７  ボール弁体
１０  軸部材
１２  開閉表示部材
１２ａ  取付孔
１２ｄ  開表示部
１２ｅ  閉表示部
１５  錘
１６  第１窓部
１７  第２窓部
【図１】
2011202765.tif 000003
【図２】
2011202765.tif 000004
【図３】
2011202765.tif 000005
【図４】
2011202765.tif 000006
【図５】
2011202765.tif 000007
【図６】
2011202765.tif 000008
【図７】
2011202765.tif 000009